(57)【要約】【課題】縦管の高さに制限のない通気金具としての通気金具部を提供する。【解決手段】縦管と接続するために筒状を呈する内筒部と、前記内筒部を覆い、筒状を呈する外筒部と、を具備するカバー部と、前記カバー部と接続し、前記縦管を通じて前記内筒部に流入した排気を、下方へ排気するドーム状の天井部本体を有する天井部と、を有する通気金具部である。【選択図】          図１
2020002737.tif 000002
【特許請求の範囲】
【請求項１】
縦管と接続するための筒状を呈する内筒部と、前記内筒部を覆い、筒状を呈する外筒部と、を具備するカバー部と、
前記カバー部と接続し、前記縦管を通じて前記内筒部に流入した排気を、下方へ排気するドーム状の天井部本体を有する天井部と、を有する通気金具部。
【請求項２】
縦管の内側に挿入する中空状の鞘管と、
前記鞘管と接続するために筒状を呈する内筒部と、前記内筒部を覆い、筒状を呈する外筒部と、を具備するカバー部と、
前記カバー部と接続し、前記縦管を通じて前記鞘管から内筒部に流入した排気を、下方へ排気するドーム状の天井部本体を有する天井部と、を有する通気金具部。
【請求項３】
前記内筒部に流入した排気は、ドーム状の天井部本体を有する前記天井部を通じて、内筒部と、前記内筒部を覆う筒状を呈する前記外筒部と、の間を通過する請求項１又は２記載の通気金具部。
【請求項４】
前記カバー部と、前記天井部は、スライド可能に接続された請求項１から３いずれか１記載の通気金具部。
【請求項５】
前記カバー部と、前記天井部との間に防虫網を配置した請求項１から４いずれか１項記載の通気金具部。
【発明の詳細な説明】
【技術分野】
【０００１】
本発明は、縦管に使用する通気金具部に関するものである。
【背景技術】
【０００２】
集合住宅における排水の円滑化のために、屋上を貫通する排水立管を設置して屋上から給排気することが行われる。この場合に、屋上スラブを貫通するため貫通部分には防水処理が必要となる。この部分の施工方法について、屋上スラブを貫通する縦管に、防水継手を接続し、その防水継手に、カバー部材と、調節管部材と、通気金具を接続している。この通気金具はベントキャップと呼ばれるもので、例えば屋上に設置する吸気や排気するための開口部に取り付ける蓋のようなものであり、雨水の浸入や虫の侵入を防ぐために、上部がドーム状を呈し、その縦管から上方に立ち上った通気を下方に排気するという構成を有している。
【０００３】
この場合に、例えば、特開２００６−１２４９８１号公報において開示されている、「屋上通気装置」を使用することができる。この「屋上通気装置」は、管連結部材と、中空円筒形を呈し上記縦管に相当する通気立上管と、立上管保護部材と、を備えるというものである。
【０００４】
しかしながら、上記立上管保護部材を固定の際は、その下端が屋上スラブの上面に位置し、立上管保護部材の自重およびこれに作用する外力を屋上スラブに分散して伝達するように配置している。従って、立上管保護部材の自重を自らが支えるためには、立上管保護部屋上スラブに立設しなければならず、上記通気立上管の高さと、上記立上管保護部材との高さを一致させる必要がある。すなわち、上記縦管に相当する通気立上管の高さが、立上管保護部材に制限を受けることになる。
【０００５】
一方で例えば、集合住宅によっては、下の階の天井を、上の階のバルコニーとして利用する場合がある。その場合に、下の階の排気をするために上の階のバルコニーに、上記通気立上管と、上記立上管保護部材を配置する場合がある。その場合に、「屋上通気装置」に使用する通気立上管の高さは、立上管保護部材の高さに制限されることから、通気立上管の高さをさらに高くして上方に排気することはできないという問題が生じる。すなわち立上管保護部材の臭気を防ぐために、上の階のバルコニーの上方に、通気金具部を配置することで、その立上管保護部材からの臭気をその上の階に流入しないように排出したいという要請を充足することができないという問題がある。
【先行技術文献】
【特許文献】
【０００６】
【特許文献１】特開２００６−１２４９８１号公報
【発明の開示】
【発明が解決しようとする課題】
【０００７】
本発明は前記の点に着目してなされたもので、その課題は、縦管の高さに制限のない通気金具としての通気金具部を提供することである。
【課題を解決するための手段】
【０００８】
前記の課題を解決する第１観点の通気金具部は、縦管と接続するために筒状を呈する内筒部と、その内筒部を覆い、筒状を呈する外筒部と、を具備するカバー部と、カバー部と接続し、その通気管を通じて内筒部に流入した排気を、下方へ排気するドーム状の天井部本体を有する天井部と、を有するというものである。
【０００９】
また、第２観点の通気金具部は、縦管の内側に挿入する中空状の鞘管と、その鞘管と接続するために筒状を呈する内筒部と、その内筒部を覆い、筒状を呈する外筒部と、を具備するカバー部と、カバー部と接続し、縦管を通じて鞘管から内筒部に流入した排気を、下方へ排気するドーム状の天井部本体を有する天井部と、を有するというものである。
【００１０】
また、第３観点の通気金具部は、第１観点から第２観点において、内筒部に流入した排気は、ドーム状の天井部本体を有する天井部を通じて、内筒部と、内筒部を覆う筒状を呈する外筒部と、の間を通過するというものである。
【００１１】
第４観点の通気金具部は、第１観点から第３観点において、カバー部と、天井部は、スライド可能に接続されたというものである。
【００１２】
第５観点の通気金具部は、第１観点から第４観点において、カバー部と、天井部との間に防虫網を配置したというものである。
【発明の効果】
【００１３】
本発明は以上のように構成され、かつ、作用するものであるから、縦管の高さに制限のない通気金具としての通気金具部を提供することができる。
【図面の簡単な説明】
【００１４】
【図１】本実施例の通気金具部の断面図である。
【図２】Ａは、通気金具部の平面図である。Ｂは、通気金具部の正面図である。Ｃは、通気金具部の底面図である。
【図３】Ａは、通気金具部の左側面図である。Ｂは、通気金具部の右側面図である。Ｃは、図２Ａの３Ｃ−３Ｃ線断面図である。
【図４】防虫網の平面図である。
【図５】通気金具部における天井部を、カバー部に対しスライド移動させた状態の平面図である。
【図６】本実施例の通気金具部を鞘管に配置した状態の断面図である。
【発明を実施するための最良の形態】
【００１５】
以下、図示の実施形態を参照して本実施例について説明する。図１において建造物である集合住宅の屋上のスラブ１００を貫通するように通気管としての縦管１１０が配置されている。この縦管１１０は、集合住宅における排水の円滑化のために、屋上を貫通するように設置して屋上から吸気を取り入れることが行われている。また、この縦管１１０に、本実施例の通気金具部１０を配置する。この縦管１１０は、防水層１３０に覆われており、ＳＵＳバンド２０は、縦管１１０と、防水層１３０とを締め付けるように配置されている。また、それらの端部を閉じるようにシール１５０を取り付け、水密性を保つようにし、雨水の浸入を防止している。
【００１６】
本実施例の通気金具部１０は、防水層１３０に覆われている上記縦管１１０に接続するものである。このように従来の立上管保護部材は、縦管１１０の高さ（長さ）と合わせる必要があったが、本実施例の通気金具部１０は、縦管１１０の高さに制限されることなく配置することができる。
【００１７】
また、上記縦管１１０は、給排気をするためのものであり、これに接続する通気金具として使用することができる通気金具部１０は、カバー部４０と天井部５０とを有する。また、通気金具部１０は、縦管１１０内の給排気をするために設けられており、さらに雨水の侵入を防ぐために設けられている。また、カバー部４０は、縦管１１０との接続部分への雨水の侵入を防ぐものであり、この接続部分を保護するためのものである。
【００１８】
上記カバー部４０は、内筒部４１と外筒部４２と、それらを連結する上端部４３とを有する。内筒部４１は、文字通り、筒状を呈し、上述の、筒状を呈する縦管１１０と接続するためのものである。また、内筒部４１は、縦管１１０の外周部分と接するように配置するために、その縦管１１０と内筒部４１との径差は、嵌め合い時に抵抗を生じる径差であることが好ましく、内筒部４１の径は縦管１１０の径よりも大であることが好ましい。また、内筒部４１は、固定穴４１ａを有し、ボルト４２をその固定穴４１ａに進入するように螺子止めすることで、そのボルト４２が、縦管１１０に接触し、さらに、そのボルト４２がその縦管１１０を押し付けることで、その縦管１１０を内筒部４１に固定することができる。
【００１９】
外筒部４２は、文字通り、筒状を呈し、内筒部４１全体を覆うように、その径と下方における長さが、内筒部４１に比べ大きく設定されており、その通気金具部１０を縦管１１０と接続した状態においてその接続部分を覆うように垂下される構成である。いわば内側に内筒部４１を配置し外側に外筒部４２を配置した２重構造を呈している。
【００２０】
外筒部４２は、止め孔４２ａを有している。止め孔４２ａは側面視において内筒部４１における固定穴４１ａと同じ高さに配置することが好ましく、止め孔４２ａを通じて、固定穴４１ａに対し４１ｂを螺子止めするためのものである。なお、止め孔４２ａは、ゴムキャップ４２ｂで塞ぐことができる。雨水の侵入を防止するためである。
【００２１】
上端部４３は、底面視において、細長い円弧状の通気孔４３ａを、内筒部４１を囲むように複数配置している。これは、すずめなどの小鳥が侵入することを防止するためのものである（図２Ｃ参照）。
【００２２】
また、上端部４３は、平面視において、天井部５０に対して回転するように、スライド移動可能に（図５参照）固定するための固定台座４４とスライド台座４５とを有する（図２、３参照）。また、固定台座４４は平面視円形の外筒部４２の外方に突出して配置されており、スライド台座４５は、外筒部４２の外方に突出して配置されており、外筒部４２を挟んで、固定台座４４と対向する位置に配置されている。また、固定台座４４は、孔である固定台座孔４４ａを有している。さらに、スライド台座４５は、孔であるスライド台座孔４５ａを有している。これらについては後述する。また、固定台座４４とスライド台座４５は、平坦であり平面視矩形状を呈している。
【００２３】
天井部５０は、その本体となる天井部本体５１を有し、天井部本体５１は、いわゆるベントキャップに近似しその形状はドーム状を呈している。天井部本体５１は平面視円形状を呈し、上記固定台座４４と螺子６０を介して接続するための天井部台座５２とを有している。また、天井部スライド台座５３と、を有している。天井部台座５２と、天井部スライド台座５３は、平坦であり平面視矩形状を呈している。また、天井部５０はつまみ部５５を有している。このつまみ部５５は、半球状であるドーム状を呈している天井部本体５１の形状に沿うように設けられていて、薄板状を呈するものである。図示しない使用者は、つまみ部５５を把持することにより、平面視において、上端部４３が天井部５０に対して回転するように、スライド移動が容易となる。
【００２４】
天井部台座５２と、天井部スライド台座５３は、天井部本体５１を挟んで対向する位置に配置されており、天井部台座５２は孔である天井部台座孔５２ａを有している。また、天井部スライド台座５３は、切り欠き状を呈する欠き部５３ａを有している。
【００２５】
カバー部４０と天井部５０とを重ね、スライド台座４５におけるスライド台座孔４５ａと、天井部台座５２における天井部台座孔５２ａとを連通するように重ね、螺子６０で止めると共に、スライド台座４５におけるスライド台座孔４５ａと、天井部スライド台座５３における欠き部５３ａとを重ね、蝶螺子６５で止める。この蝶螺子６５を取りはずすことで、その螺子６０を中心に天井部５０をカバー部４０に対し水平に回転させることで、その天井部５０に対してカバー部４０をスライド移動させることができる（図５参照）。これにより、カバー部４０が露出することにより、上端部４３に配置した複数の細長い円弧状の通気孔４３ａに、詰まったごみなどを、取り除くことができる。また、屋上から配管内を高圧洗浄する、あるいは、点検するために使用することができる。なお、スライド移動させる場合において、つまみ部５５を把持することができるので、天井部５０に対するカバー部４０のスライドが容易である。
【００２６】
上記構成の本実施例の通気金具部１０は、金属で作成することが好ましく、アルミニウム製であることが好ましい。また、ステンレスあるいは，ＡＢＳ、塩化ビニルなどの合成樹脂でもよい。本実施例の通気金具部１０を、縦管１１０に取り付ける。すなわち、縦管１１０の外部に、通気金具部１０におけるカバー部４０の内筒部４１が接するように被せ、外筒部４２における止め孔４２ａを通じて、固定穴４１ａに対しボルト４２で固定することで、本実施例の通気金具部１０を縦管１１０に取り付けることができる。なお、防虫網７０を、上端部４３の上部に配置することで、さらに昆虫の侵入を防止することができる（図１、５参照）。
【００２７】
本実施例の通気金具部１０は、縦管１１０からの排気を流通させ、通気金具部１０におけるカバー部４０と天井部５０を通じて排気を流通させる。すなわち、その排気は、カバー部４０における内筒部４１を通過し、さらに天井部５０における天井部本体５１を通じて、折り返すように下降し、カバー部４０における内筒部４１と、外筒部４２と、の間を通過して外部に輩出される。なお外気を吸気する場合はこの逆である。このように、通気金具部１０はカバー部４０を有しているために、強風が吹いて、通気金具部１０に対して、負圧が発生した場合においても、縦管１１０内へのその負圧の影響を緩和することができる。従って、縦管１１０に接続された図示しない、いわゆる防臭トラップへの負圧の影響を緩和することができる。
【００２８】
また、本実施例の通気金具部１０は、縦管１１０の長さ（高さ）に依存することなく取り付けることができるために、縦管１１０の高さに依存することなくその高さのいかんに関わらず、通気金具部１０を配置することができる。
【００２９】
また、本実施例の通気金具部１０は、防水層１３０に覆われた縦管１１０をそのまま使用することで、工期及び工費を最小限度に止められるとともに、工事の前後において躯体構造に変化が生じないとともに、住宅の資産価値なども高められる。また、通気金具と縦管とカバーで構成された従来のものに比して、いわゆる部品点数を削減することができる。また、本実施例の通気金具部１０は、従来の「立上管保護部材」より、少ないスペースで改修することができる。
【００３０】
また、図６において建造物である集合住宅の屋上のスラブ１００を貫通するように縦管１１０が配置されている。この縦管１１０は、集合住宅における排水の円滑化のために、屋上を貫通するように設置して屋上から吸気を取り入れることが行われている。さらに、この縦管１１０に、鞘管１２０を配置することができる。
【００３１】
縦管１１０は、防水層１３０に覆われている。また、縦管１１０に挿入するように、筒状を呈し中空状の鞘管１２０が配置されている。鞘管１２０は、交換することでき、この鞘管１２０に、本実施例の通気金具部１０を取り付けることができる。
【００３２】
このように、本実施例の通気金具部１０を鞘管１２０に取り付けることができる。具体的には、縦管１１０の内部に鞘管１２０を差し入れつつ、縦管１１０の上端部よりも、鞘管１２０を突出させる。この突出させた鞘管１２０の外部に、本実施例の通気金具部１０におけるカバー部４０の内筒部４１が接するように被せ、外筒部４２における止め孔４２ａを通じて、固定穴４１ａに対しボルト４２で固定する。このようにして、本実施例の通気金具部１０を鞘管１２０に取り付けることができる。また、縦管１１０と、防水層１３０との端部を閉じるようにシール１６０を取り付け、雨水の浸入を防止している。なお、ステンレス製の第２ＳＵＳバンド２６は、縦管１１０と、防水層１３０との端部を締め付けるように配置することができる。また、縦管１１０と、鞘管１２０との端部を閉じるようにシール１７０を取り付け、雨水の浸入を防止している。なお、ステンレス製の第３ＳＵＳバンド２５は、縦管１１０と、鞘管１２０との端部を締め付けるように配置することができる。
【００３３】
なお、鞘管１２０と内筒部４１との径差は、嵌め合い時に抵抗を生じる径差であることが好ましく、内筒部４１の径は鞘管１２０の径よりも大であることが好ましい。また、内筒部４１は、固定穴４１ａを有し、ボルト４２をその固定穴４１ａに進入するように螺子止めすることで、そのボルト４２が、鞘管１２０に接触し、さらに、そのボルト４２がその鞘管１２０を押し付けることで、その縦管１１０を内筒部４１に固定することができる。
【００３４】
このように、縦管１１０に鞘管１２０を挿入し、その鞘管１２０に、本実施例の通気金具部１０を取り付けることができるので、鞘管１２０と、それに取り付けられた本実施例の通気金具部１０のみを交換することができる。よって、工事期間を短縮することができると共に、建築防水業者が携わることなく、配管業者のみで交換することができるので、交換コストをさらに軽減することができる。
【００３５】
すなわち、本実施例の通気金具部１０を鞘管１２０に取り付けることができるので、防水層１３０に覆われた縦管１１０については、その状態を維持したまま、鞘管１２０と通気金具部１０とを更新することができる。この場合防水層１３０を更新すると、建築防水業者が行うことになり工事の長期化が懸念させるともに、更新費用もかさむことになる。また、多くの場合防水層１３０の劣化よりも、通気金具部１０の寿命が早いので、防水層１３０を更新することなく、さらに、配管業者のみで通気金具部１０を鞘管１２０の更新工事を行うことができる。よって、更新工事のコストを削減すると共に、建築防水業者と配管業者との共同作業を削減することで比較的短期間で更新工事を行うことができる。
【００３６】
なお、ここで使用する通気金具部１０の構成は、縦管１１０に取り付ける上記と同様のものであり、同様の符号を付しその説明は省略する。もっとも鞘管１２０が取り付けられる内筒部４１の径は、鞘管１２０と嵌合するように適宜変更することは言うまでもない。なお、縦管１１０と、鞘管１２０の上端部は、他のシール材１７０で、水密性を保つようにし、雨水の浸入を防止している。このシール材１７０の上から、ステンレス製の第２第２ＳＵＳバンド２５で締め付けることにより水密性を高めている。また、また、ステンレス製の第３ＳＵＳバンド２６は、縦管１１０と、鞘管１２０と、防水層１３０とを締め付けるように配置されている。このように、また、上記と同様に本実施例の通気金具部１０は、縦管１１０の長さ（高さ）に依存することなく取り付けることができるために、縦管１１０の高さに依存することなくその高さのいかんに関わらず、通気金具部１０を配置することができる。
【００３７】
通気金具部１０は、縦管１１０から鞘管１２０を通じて、排気を流通させ、通気金具部１０におけるカバー部４０と天井部５０を通じて排気を流通させる。すなわち、その排気は、カバー部４０における内筒部４１を通過し、さらに天井部５０における天井部本体５１を通じて、折り返すように下降し、カバー部４０における内筒部４１と、外筒部４２と、の間を通過して外部に輩出される。なお外気を吸気する場合はこの逆である。このように、通気金具部１０はカバー部４０を有しているために、強風が吹いて、通気金具部１０に対して、負圧が発生した場合においても、縦管１１０内へのその負圧の影響を緩和することができる。またそれにより、縦管１１０に接続された図示しない、いわゆる防臭トラップへの負圧の影響を緩和することができることは上記のとおりである。
【符号の説明】
【００３８】
１０  通気金具部
２０  ＳＵＳバンド
４０  カバー部
４１  内筒部
４２  外筒部
５０  天井部
６０  防虫網
１００  屋上のスラブ
１１０  縦管
１２０  鞘管
１３０  防水層
【図１】
2020002737.tif 000003
【図２】
2020002737.tif 000004
【図３】
2020002737.tif 000005
【図４】
2020002737.tif 000006
【図５】
2020002737.tif 000007
【図６】
2020002737.tif 000008